(57)【要約】【課題】前面衝突時にフロントバンパリインフォースメントによる歩行者の膝への荷重入力量を低減させることができる車両の前面部構造を得る。【解決手段】ラジエータグリル２８の背面上部側には長尺状かつ金属製のフロントバンパリテーナ３０が配設されている。フロントバンパリテーナ３０はフロントバンパリインフォースメント１４の前面位置よりも車両前方側に配置されている。従って、歩行者の膝がフロントバンパリインフォースメント１４から衝突反力を受ける前に、ラジエータグリル２８、フロントバンパリテーナ３０が変形して衝突時のエネルギーを吸収する。【選択図】        図１
2007001546.tif 000002
【特許請求の範囲】
【請求項１】
車両の前端部に車両幅方向に延在するフロントバンパカバーと、
このフロントバンパカバーの車両後方側に所定距離離間して配置されると共にフロントバンパカバーに沿って車両幅方向に延在する長尺状のフロントバンパリインフォースメントと、
エンジンルームを開閉するフードの閉止状態において当該フードの本体部の前端よりも車両前方下側へ張り出されかつフロントバンパカバーの上端側とフードの本体部の前端側との間に配置されるラジエータグリルと、
フード閉止状態においてラジエータグリルの車両後方側に配置されて部材を支持又は補強するリテーナと、
を含んで構成された車両の前面部構造であって、
前記リテーナは前記フロントバンパリインフォースメントに沿って車両幅方向に延在する部材として構成されており、当該リテーナを前記ラジエータグリルの背面上部側でかつフロントバンパリインフォースメントよりも実質的に車両前方側に配置した、
ことを特徴とする車両の前面部構造。
【請求項２】
前記リテーナは、フロントバンパカバーを車体側に支持させる部材である、
ことを特徴とする請求項１記載の車両の前面部構造。
【請求項３】
前記リテーナは長尺状に形成されており、当該リテーナを少なくともフロントバンパカバーの両サイドに相当する範囲に設定した、
ことを特徴とする請求項１又は請求項２記載の車両の前面部構造。
【請求項４】
前記リテーナの車両幅方向に沿った幅は、前記フロントバンパリインフォースメントの車両幅方向の幅と略同一に設定されている、
ことを特徴とする請求項１乃至請求項３のいずれか一項に記載の車両の前面部構造。
【請求項５】
前記フロントバンパリインフォースメントの車両下方側には、当該フロントバンパリインフォースメントの前面よりも車両前方側でかつ車両幅方向に沿って延在する衝撃吸収部材が設けられている、
ことを特徴とする請求項１乃至請求項４のいずれか一項に記載の車両の前面部構造。
【発明の詳細な説明】
【技術分野】
【０００１】
本発明は、前面衝突時における歩行者の脚部の保護性能を高めた車両の前面部構造に関する。
【背景技術】
【０００２】
下記特許文献１には、歩行者と前面衝突した際のフードパネルの変形抵抗をラジエータグリルによって補う技術が開示されている。
【特許文献１】特開２００４−９８９１２号公報
【発明の開示】
【発明が解決しようとする課題】
【０００３】
しかしながら、ＳＵＶ等、車高の高い車両では、歩行者と前面衝突した際に、フロントバンパリインフォースメントが歩行者の膝の辺りに位置することがあるため、フロントバンパリインフォースメントからフロントバンパカバーまでの距離が短い場合には、歩行者の膝にラジエータグリル上部より先にフロントバンパリインフォースメントが衝突する可能性がある。
【０００４】
本発明は上記事実を考慮し、前面衝突時にフロントバンパリインフォースメントによる歩行者の脚部の膝への荷重入力量を低減させることができる車両の前面部構造を得ることが目的である。
【課題を解決するための手段】
【０００５】
請求項１記載の本発明に係る車両の前面部構造は、車両の前端部に車両幅方向に延在するフロントバンパカバーと、このフロントバンパカバーの車両後方側に所定距離離間して配置されると共にフロントバンパカバーに沿って車両幅方向に延在する長尺状のフロントバンパリインフォースメントと、エンジンルームを開閉するフードの閉止状態において当該フードの本体部の前端よりも車両前方下側へ張り出されかつフロントバンパカバーの上端側とフードの本体部の前端側との間に配置されるラジエータグリルと、フード閉止状態においてラジエータグリルの車両後方側に配置されて部材を支持又は補強するリテーナと、を含んで構成された車両の前面部構造であって、前記リテーナは前記フロントバンパリインフォースメントに沿って車両幅方向に延在する部材として構成されており、当該リテーナを前記ラジエータグリルの背面上部側でかつフロントバンパリインフォースメントよりも実質的に車両前方側に配置した、ことを特徴としている。
【０００６】
請求項２記載の本発明に係る車両の前面部構造は、請求項１記載の発明において、前記リテーナは、フロントバンパカバーを車体側に支持させる部材である、ことを特徴としている。
【０００７】
請求項３記載の本発明に係る車両の前面部構造は、請求項１又は請求項２記載の発明において、前記リテーナは長尺状に形成されており、当該リテーナを少なくともフロントバンパカバーの両サイドに相当する範囲に設定した、ことを特徴としている。
【０００８】
請求項４記載の本発明に係る車両の前面部構造は、請求項１乃至請求項３のいずれか一項に記載の発明において、前記リテーナの車両幅方向に沿った幅は、前記フロントバンパリインフォースメントの車両幅方向の幅と略同一に設定されている、ことを特徴としている。
【０００９】
請求項５記載の本発明に係る車両の前面部構造は、請求項１乃至請求項４のいずれか一項に記載の発明において、前記フロントバンパリインフォースメントの車両下方側には、当該フロントバンパリインフォースメントの前面よりも車両前方側でかつ車両幅方向に沿って延在する衝撃吸収部材が設けられている、ことを特徴としている。
【００１０】
請求項１記載の本発明によれば、フロントバンパカバーの上端側とフードの本体部の前端側との間にはラジエータグリルが配置されており、更にラジエータグリルの車両後方側には部材を支持又は補強するリテーナが配置されている。
【００１１】
ここで、本発明では、上記リテーナがフロントバンパリインフォースメントに沿って車両幅方向に延在する部材として構成されており、当該リテーナをラジエータグリルの背面上部側でかつフロントバンパリインフォースメントよりも実質的に車両前方側に配置したので、歩行者と前面衝突した場合、まず歩行者の膝がフロントバンパカバーに当たってこれを変形させ始め、続いて膝がフロントバンパリインフォースメントから衝突反力を受ける前に、歩行者の脚部（膝から上の大腿部）がラジエータグリル側へ倒れ込み、ラジエータグリル更にはリテーナを変形させる。この過程で、前面衝突時のエネルギー吸収がなされると共に歩行者の特に膝関節が保護される。
【００１２】
請求項２記載の本発明によれば、リテーナはフロントバンパカバーを車体側に支持する部材（フロントバンパリテーナ）として構成されているため、既存の部品を利用することができる。
【００１３】
請求項３記載の本発明によれば、リテーナが長尺状に形成されており、当該リテーナを少なくともフロントバンパカバーの両サイドに相当する範囲に設定したので、以下の作用が得られる。すなわち、一般に車両が歩行者と前面衝突する場合、フロントバンパカバーの中央部において歩行者の脚部と接触するよりもフロントバンパカバーの両サイドにおいて歩行者の脚部と接触する方が多い。従って、この範囲にリテーナを設置しておくことにより、歩行者の脚部の保護の有効性・実効性を高めることができる。
【００１４】
請求項４記載の本発明によれば、リテーナの車両幅方向に沿った幅を、フロントバンパリインフォースメントの車両幅方向の幅と略同一に設定したので、フロントバンパカバーの両サイドだけではなく、フロントバンパカバーの中央部において歩行者の脚部との接触があった場合にも上記の歩行者の脚部の保護効果が得られる。
【００１５】
請求項５記載の本発明によれば、フロントバンパリインフォースメントの車両下方側には、当該フロントバンパリインフォースメントの前面よりも車両前方側でかつ車両幅方向に沿って延在する衝撃吸収部材が設けたので、歩行者と前面衝突した際に、歩行者の膝がフロントバンパリインフォースメントから衝突反力を受ける前に、脛部が衝撃吸収部材によって受け止められて衝突時のエネルギーが吸収される。従って、歩行者の脚部の屈曲を抑制することができる。
【発明の効果】
【００１６】
以上説明したように、請求項１記載の車両の前面部構造は、車両の前端部に車両幅方向に延在するフロントバンパカバーと、このフロントバンパカバーの車両後方側に所定距離離間して配置されると共にフロントバンパカバーに沿って車両幅方向に延在する長尺状のフロントバンパリインフォースメントと、エンジンルームを開閉するフードの閉止状態において当該フードの本体部の前端よりも車両前方下側へ張り出されかつフロントバンパカバーの上端側とフードの本体部の前端側との間に配置されるラジエータグリルと、フード閉止状態においてラジエータグリルの車両後方側に配置されて部材を支持又は補強するリテーナと、を含んで構成されたものにおいて、リテーナをフロントバンパリインフォースメントに沿って車両幅方向に延在する部材として構成し、更に当該リテーナをラジエータグリルの背面上部側でかつフロントバンパリインフォースメントよりも実質的に車両前方側に配置したので、前面衝突時に歩行者の膝がフロントバンパリインフォースメントから衝突反力を受ける前に、ラジエータグリル及びリテーナによって衝突エネルギーを吸収することができ、その結果、前面衝突時にフロントバンパリインフォースメントによる歩行者の膝への荷重入力量を低減させることができるという優れた効果を有する。
【００１７】
請求項２記載の本発明に係る車両の前面部構造は、請求項１記載の発明において、リテーナがフロントバンパカバーを車体側に支持させる部材（フロントバンパリテーナ）であるため、既存の部品を利用することができ、その結果、低コストで請求項１記載の効果を得ることができるという優れた効果を有する。
【００１８】
請求項３記載の本発明に係る車両の前面部構造は、請求項１又は請求項２記載の発明において、リテーナは長尺状に形成されており、当該リテーナを少なくともフロントバンパカバーの両サイドに相当する範囲に設定したので、歩行者の脚部との接触の可能性が高い部分を効果的にカバーすることができ、その結果、歩行者の脚部の保護性能を向上させることができるという優れた効果を有する。
【００１９】
請求項４記載の本発明に係る車両の前面部構造は、請求項１乃至請求項３のいずれか一項に記載の発明において、リテーナの車両幅方向に沿った幅を、フロントバンパリインフォースメントの車両幅方向の幅と略同一に設定したので、フロントバンパカバーの両サイドだけではなく、中央部において歩行者の脚部との接触があった場合にも上記の歩行者の脚部の保護効果が得られ、その結果、フロントバンパカバーの全範囲について歩行者の脚部の保護性能を向上させることができるという優れた効果を有する。
【００２０】
請求項５記載の本発明に係る車両の前面部構造は、請求項１乃至請求項４のいずれか一項に記載の発明において、フロントバンパリインフォースメントの車両下方側には、当該フロントバンパリインフォースメントの前面よりも車両前方側でかつ車両幅方向に沿って延在する衝撃吸収部材が設けたので、歩行者と前面衝突した際に、歩行者の脚部の膝がフロントバンパリインフォースメントから衝突反力を受ける前に、脛部を衝撃吸収部材に支持させることができ、その結果、歩行者の脚部の膝を中心とした屈曲を極力抑制することができるという優れた効果を有する。
【発明を実施するための最良の形態】
【００２１】
以下、図１〜図５を用いて、本発明に係る車両の前面部構造の幾つかの実施形態について説明する。なお、これらの図において適宜示される矢印ＦＲは車両前方側を示しており、矢印ＵＰは車両上方側を示しており、矢印ＩＮは車両幅方向内側を示している。
【００２２】
図１には、本実施形態に係る車両の前面部構造の全体構成を示す縦断面図が示されている。また、図２には、当該車両の前面部構造の要部の平面配置図が示されている。
【００２３】
これらの図に示されるように、車両の前面部には、平面視で湾曲した形状を成すフロントバンパ１０が配設されている。フロントバンパ１０は、車両幅方向に沿って延在する樹脂製のフロントバンパカバー１２を備えている。なお、縦断面視では、フロントバンパカバー１２は、上部１２Ａ及び下部１２Ｂに分かれている。フロントバンパカバー１２の車両後方側には、所定距離だけ離間した位置にフロントバンパリインフォースメント１４が配設されている。フロントバンパリインフォースメント１４は縦断面形状が矩形枠状に形成されており、その長手方向の両端部は左右一対のフロントサイドメンバ１６の前端部に結合されている。
【００２４】
上述したフロントバンパリインフォースメント１４の車両上方側には、エンジンルーム１８を開閉するフード２０の本体部２２の前端が配置されている。なお、フード２０の本体部２２は、フードアウタパネル２４及びフードインナパネル２６によって構成されている。
【００２５】
フロントバンパカバー１２における車両幅方向中央部には、ラジエータグリル２８が配設される上端平面部１２Ｃが形成されている。ラジエータグリル２８は、フード２０の閉止状態においてフード２０の本体部２２の前端よりも車両前方下側へ張り出されかつフロントバンパカバー１２の上端平面部１２Ｃとフード２０の本体部２２の前端との間に配設されている。
【００２６】
ここで、上述したラジエータグリル２８の車両後方側には、金属材料によって構成された長尺状のフロントバンパリテーナ３０が配設されている。フロントバンパリテーナ３０の縦断面形状は車両後方側が開放された略コ字状とされており、図２に示されるように、フロントバンパリインフォースメント１４の車両前方側に車両幅方向に沿って延在されている。なお、上記フロントバンパリテーナ３０はフロントバンパカバー１２を車体側に支持させるための部材であり、より詳細には図示しないラジエータサポートの左右一対の縦柱の上端側に設定されたブラケットにフロントバンパリテーナ３０が取り付けられることにより、フロントバンパカバー１２が車体側構成部材であるラジエータサポートに支持されるようになっている。
【００２７】
フロントバンパリテーナ３０の配置関係について詳細に説明すると、図１に示されるように、フロントバンパリテーナ３０は、ラジエータグリル２８の背面上部側でかつフロントバンパリインフォースメント１４の前面位置よりも車両前方側となる位置に配置されている。因みに、歩行者の脚部を模擬したインパクタ３２との対比で説明すると、仮にフロントバンパリインフォースメント１４の車両前方側にインパクタ３２の回転中心（膝関節に相当）Ｏが対向して位置するとした場合に、当該回転中心Ｏから車両上方側へ高さｈだけ高い位置（大腿部に相当するインパクタ３２の上部３２Ａの重心Ｇよりも高い位置）にフロントバンパリテーナ３０は配置されており、かつフロントバンパリテーナ３０の前端部３０Ａはフロントバンパリインフォースメント１４の前面位置（一点鎖線Ｐ）よりも距離Ｌだけ車両前方側に離間した位置に配置されている。
【００２８】
さらに、図２に示されるように、上記フロントバンパリテーナ３０の平面形状はフロントバンパリインフォースメント１４に沿った湾曲形状とされており、その車両幅方向の幅はフロントバンパリインフォースメント１４の車両幅方向の幅と略同一に設定されている。
【００２９】
また、図１に示されるように、フロントバンパリインフォースメント１４の車両下方側には、フロントバンパリインフォースメント１４の前面よりも車両前方側でかつ車両幅方向に沿って延在する衝撃吸収部材としてのフロントバンパロアアブソーバ３４が配設されている。フロントバンパロアアブソーバ３４はフロントバンパカバー１２の下部形状に沿うように略台形形状を成しており、支持部材３６を介してフロントバンパリインフォースメント１４に取り付けられている。
【００３０】
補足すると、上述した本実施形態に係る車両の前面部構造が適用された図１図示の車両は、乗用車よりも車高が高く作られているＳＵＶである。
【００３１】
（作用・効果）
次に、本実施形態の作用並びに効果について説明する。
【００３２】
図１に示される状態が、車両の前面部が歩行者の脚部を模擬したインパクタ３２と衝突する前の状態である。このときには、本実施形態の車両が一般の乗用車より車高が高いＳＵＶタイプの車両であるため、インパクタ３２の回転中心Ｏ（歩行者の膝に相当）がフロントバンパリインフォースメント１４に対して対向した位置に存在する。
【００３３】
この状態から車両の前面部をインパクタ３２に前面衝突させると、まず車両の最前端に位置するフロントバンパカバー１２にインパクタ３２の上部３２Ａ及び下部３２Ｂから衝突荷重が入力される。このため、図３に示されるように、フロントバンパカバー１２の上部１２Ａ及び下部１２Ｂは互いに接近する方向へ弾性変形しつつ、その変形量に応じたストロークだけ車両後方側へ変位される。
【００３４】
ここで、本実施形態では、フロントバンパリテーナ３０をフロントバンパリインフォースメント１４に沿って車両幅方向に延在する長尺状の金属製部材として構成し、当該フロントバンパリテーナ３０をラジエータグリル２８の背面上部側（図１に示されるように、インパクタ３２の回転中心Ｏから高さｈだけ上方となる位置であり、この位置はインパクタ３２の上部３２Ａの重心Ｇよりも上方側となる位置である。）でかつフロントバンパリインフォースメント１４の前面位置（図１の一点鎖線Ｐ）よりも距離Ｌだけ車両前方側となる位置に配置したので、インパクタ３２の回転中心Ｏ（歩行者の膝に相当）がフロントバンパリインフォースメント１４に衝突する前に（換言すると、インパクタ３２の回転中心Ｏがフロントバンパリインフォースメント１４から衝突反力を受ける前に）、インパクタ３２の上部３２Ａが回転中心Ｏを中心として図３において時計方向へ若干回転し、即ちフロントバンパカバー１２の上端平面部１２Ｃとフード２０の前端との間に斜めに配置されたラジエータグリル２８に倒れ込み、ラジエータグリル２８更にはフロントバンパリテーナ３０を変形させる。この過程で、前面衝突時のエネルギー吸収がなされると共に歩行者の特に膝関節が保護される。
【００３５】
一方、インパクタ３２の下部３２Ｂ（歩行者の脚部の脛部に相当）は、インパクタ３２の回転中心Ｏがフロントバンパリインフォースメント１４から衝突反力を受ける前に、フロントバンパリインフォースメント１４の下方前側に配置された長尺状のフロントバンパロアアブソーバ３４に受け止められて前面衝突時のエネルギー吸収がなされる。従って、上記フロントバンパリテーナ３０側でのエネルギー吸収効果と相まって、歩行者の脚部の膝を中心とした屈曲を抑制することができる。
【００３６】
以上より、本実施形態に係る車両の前面部構造によれば、前面衝突時に歩行者の膝がフロントバンパリインフォースメント１４から衝突反力を受ける前に、ラジエータグリル２８及びフロントバンパリテーナ３０によって衝突エネルギーを吸収することができる。その結果、前面衝突時にフロントバンパリインフォースメント１４による歩行者の膝への荷重入力量を大幅に低減させることができ、歩行者の脚部の保護性能を向上させることができる。
【００３７】
さらに、前記効果に加え、フロントバンパリインフォースメント１４の下方前側にフロントバンパロアアブソーバ３４を配設したので、歩行者の脚部の膝を中心とした屈曲を極力抑制することができる。
【００３８】
つまり、本実施形態によれば、フロントバンパリテーナ３０側でのエネルギー吸収とフロントバンパロアアブソーバ３４側でのエネルギー吸収とで、理想的には歩行者の脚部が平行移動しつつもフロントバンパリインフォースメント１４には接触しないという衝突モードに近づけることができる。
【００３９】
また、本実施形態に係る車両の前面部構造では、フロントバンパリテーナ３０がフロントバンパカバー１２を車体側に支持する部材（フロントバンパフロントバンパリテーナ）として構成されているため、既存部品を利用することができる。その結果、本実施形態によれば、低コストで上記歩行者の脚部の保護性能の向上効果を得ることができる
さらに、本実施形態に係る車両の前面部構造では、フロントバンパリテーナ３０の車両幅方向の幅がフロントバンパリインフォースメント１４の車両幅方向の幅と略同一に設定されているので、フロントバンパカバー１２の両サイドだけではなく、中央部において歩行者の脚部との接触があった場合にも、上記の歩行者の脚部の保護効果が得られる。従って、フロントバンパカバー１２の車両幅方向の全範囲について歩行者の脚部の保護性能を向上させることができる。
【００４０】
〔実施形態の補足説明〕
なお、上述した本実施形態では、フロントバンパリテーナ３０の車両幅方向の幅をフロントバンパリインフォースメント１４の車両幅方向の幅と略同一に設定し、一本物として構成したが、これに限らず、図４に示されるように、フロントバンパリインフォースメント１４の左右両サイドに対応する範囲に左右一対のフロントバンパリテーナ４０を設けるようにしてもよい。
【００４１】
すなわち、一般に車両が歩行者と前面衝突する場合、フロントバンパカバー１２の中央部において歩行者の脚部と接触するケースよりも、フロントバンパカバー１２の両サイドにおいて歩行者の脚部と接触するケースの方が多い。従って、この範囲にフロントバンパリテーナ４０を設置しておくことにより、歩行者の脚部の保護の有効性・実効性は基本的には担保される。その結果、この構成によっても、歩行者の脚部の保護性能を向上させることができる。
【００４２】
また、例えばフロントバンパリテーナ３０を三分割して左右のフロントバンパリテーナ４０についてはラジエータサポートの縦柱に支持させ、中央部のフロントバンパリテーナについてはラジエータサポートアッパにブラケットを介して支持させるといった複数分割構造を採ることも可能である。
【００４３】
さらに、上述した本実施形態では、ラジエータグリル２８がフロントバンパカバー１２側に設けられるタイプを例にして本発明を適用したが、これに限らず、ラジエータグリルがフードの前端部側に一体的に設けられたタイプに対して本発明を適用してもよい。この場合のフロントバンパリテーナはフロントバンパカバーを車体側に支持させる部材として機能するのではなく、フード側に設けられたラジエータグリル或いはフードの前端部を補強するための部材として機能する。その意味では、この場合のフロントバンパリテーナはフードリインフォースと捉えてもよい。
【００４４】
また、前記に関連し、本実施形態では、ラジエータグリル２８がフロントバンパカバー１２の中央部にのみ配設されるタイプを例にして説明したが、これに限らず、フロントバンパカバーの車両幅方向の全幅に亘ってラジエータグリルが配設されるタイプに対して本発明を適用してもよい。
【００４５】
さらに、上述した本実施形態では、車両後方側が開放された断面コ字状のフロントバンパリテーナ３０を使用したが、これに限らず、図５に示されるように、縦断面形状がハット状に形成されたフロントバンパリテーナ４２を用いてもよい。このフロントバンパリテーナ４２は、縦断面形状が車両下方側が開放されたハット形状に形成されており、前部壁４２Ａよりも後部壁４２Ｂの方が上下方向寸法が長く設定されている。そして、フロントバンパリテーナ４２の断面内方にホーン４４を収容させ、この状態で取付ブラケット４６を介してボルト４８がウエルドナット５０へ螺合されることにより、左右一対のホーン４４が後部壁４２Ｂの車両幅方向の両端部近傍等の所定位置に取り付けられている。つまり、このフロントバンパリテーナ４２では、フロントバンパリテーナ４２の後部壁４２Ｂをホーン４４の取付座として利用する構成を採っており、ホーン４４の適切な設定位置に適当な取付座が無い場合には非常に有効である。
【００４６】
また、上述した本実施形態では、フロントバンパリテーナ３０に所定の剛性をもたせるためにフロントバンパリテーナ３０を金属製としたが、これに限らず、樹脂製にしてもよい。
【００４７】
さらに、請求項１の「当該リテーナを前記ラジエータグリルの背面上部側でかつフロントバンパリインフォースメントよりも実質的に車両前方側に配置した、」という記載における「フロントバンパリインフォースメントよりも実質的に車両前方側」の意味合いについて補足すると、理想的には、前述した実施形態の中で説明したように、フロントバンパリテーナ４２がフロントバンパリインフォースメント１４の前面位置（図１の一点鎖線Ｐ）よりも（距離Ｌだけ）車両前方側となる位置に配置されている方が好ましい。しかし、一般に車種ごとにフロントバンパカバーの形状は異なっており、フロントバンパカバーの形状が異なれば衝突形態（変形のモード）も多少は異なってくる。さらに、歩行者の大腿部がラジエータグリル２８側へ倒れ込んでくることも考慮すると、「前面衝突時に歩行者の膝がフロントバンパリインフォースメントから衝突反力を受ける前に、ラジエータグリル及びフロントバンパリテーナによって衝突エネルギーを吸収する」という本発明の本来的な効果が得られる限度において、フロントバンパリテーナとフロントバンパリインフォースメントとの前後位置関係が多少ずれていても差し支えないという意味で、「実質的に」としている。
【００４８】
従って、例えば、歩行者の脚部の膝がフロントバンパリインフォースメントに当接する前に歩行者の大腿部をフロントバンパリテーナ側へ倒れ込ませる目的で、フロントバンパリテーナの前端部をフロントバンパリインフォースメントの上方側でフロントバンパリインフォースメントの前面位置と全く同じ位置に配置した構成や、フロントバンパリテーナの前端部をフロントバンパリインフォースメントの上方側でフロントバンパリインフォースメントの前面位置よりも僅かに車両後方側にずらして配置した構成も、請求項１記載の本発明に含まれる。つまり、「或る車種において、フロントバンパリインフォースメントの前後位置を固定的に考えた場合に、フロントバンパリテーナをフロントバンパリインフォースメントの車両後方側から車両前方側へ徐々にずらしていき、前記本発明の本来的な効果がある程度得られることが予測又は確認された最初の位置にフロントバンパリテーナを配置した構成は、たとえそれがフロントバンパリインフォースメントの前面位置よりも多少後方側にあったとしても、そうしたことの狙いがフロントバンパリテーナをなるべく車両前方側に配置してフロントバンパリインフォースメントから歩行者の膝への荷重入力量を極力抑えることにある限り、技術的思想としては「リテーナをフロントバンパリインフォースメントよりも実質的に車両前方側に配置した」ものとみなすことができるから、請求項１記載の本発明に含まれる。
【図面の簡単な説明】
【００４９】
【図１】本実施形態に係る車両の前面部構造の全体構成を示す縦断面図である。
【図２】図１に示されるフロントバンパリテーナとフロントバンパリインフォースメントとの長さ関係を示す平面配置図である。
【図３】図１に示される車両の前面部構造を採用した車両が歩行者と前面衝突した際の状態を示す図１に対応する縦断面図である。
【図４】フロントバンパリテーナの平面配置範囲の変形例を示す図２に対応する平面配置図である。
【図５】フロントバンパリテーナの断面形状の変形例を示す要部拡大縦断面図である。
【符号の説明】
【００５０】
１０      フロントバンパ
１２      フロントバンパカバー
１４      フロントバンパリインフォースメント
１８      エンジンルーム
２０      フード
２２      本体部
２８      ラジエータグリル
３０      フロントバンパリテーナ（リテーナ）
３４      フロントバンパロアアブソーバ（衝撃吸収部材）
４０      フロントバンパリテーナ（リテーナ）
４２      フロントバンパリテーナ（リテーナ）
【図１】
2007001546.tif 000003
【図２】
2007001546.tif 000004
【図３】
2007001546.tif 000005
【図４】
2007001546.tif 000006
【図５】
2007001546.tif 000007